(57)【特許請求の範囲】
【請求項１】
放熱ファン（８０）、参考電圧回路（６０）および差動増幅器（７０）により構成される参考電圧制御回転速度の放熱ファンのモーターであって、参考電圧回路（６０）は参考電圧（Ｖｒｅｆ）を出力し、参考電圧回路（６０）は熱抵抗器により構成される回路、圧電回路、またはマイクロプロセッサーのシステムであり、差動増幅器（７０）は放熱ファン（８０）および参考電圧回路（６０）の間に配設され、差動増幅器（７０）のマイナス端は参考電圧（Ｖｒｅｆ）と連接すると共に、プラス端は電源電圧（Ｖｃｃ）の分圧と連接し、マイナス端およびプラス端の電圧差の変化により駆動電圧（Ｖｆ）を放熱ファン（８０）に出力させるように形成され、参考電圧回路（６０）から出力された参考電圧（Ｖｒｅｆ）が上昇した時、差動増幅器（７０）から放熱ファン（８０）に出力する駆動電圧（Ｖｆ）は緩やかに降下することにより、放熱ファン（８０）の回転速度も緩やかに降下するように形成され、参考電圧回路（６０）から出力された参考電圧（Ｖｒｅｆ）が降下した時、差動増幅器（７０）から放熱ファン（８０）に出力する駆動電圧（Ｖｆ）は緩やかに上昇することにより、放熱ファン（８０）の回転速度も緩やかに上昇するように形成されることを特徴とする参考電圧制御回転速度の放熱ファンのモーター。
【請求項２】
参考電圧（６０）は放熱ファン（８０）の回転速度信号ＦＧの実際回転速度信号を利用して参考電圧（Ｖｒｅｆ）を微調整することができることを特徴とする請求項１に記載の参考電圧制御回転速度の放熱ファンのモーター。
【発明の詳細な説明】
【０００１】
【発明の属する分野】
本発明は、参考電圧制御回転速度の放熱ファンのモーターに関するもので、特に差動増幅器を利用して参考電圧を電源電圧Ｖｃｃと加減して合わせることにより、出力された駆動電圧Ｖｆは線性で緩やかな波形を有するように形成され、放熱ファンの回転速度を変えることができるため、放熱ファンの回転速度は緩やかに加速したり減速したりすることができる参考電圧制御回転速度の放熱ファンのモーターに係るものである。
【０００２】
【従来の技術】
従来この種のものにあっては、下記のようなものになっている。
【０００３】
従来の放熱ファンの構造について、アメリカの公告番号第５，９４２，８６６号「直流ブラシレス放熱ファンの波幅調整可能な制御回路」に開示されたものにおいて、図１は制御回路図で、図２は制御スイッチの出力波形図である。図１を参照し、公告番号第５，９４２，８６６号に掲示された放熱ファンの整流回路１０は、コンデンサー１１と抵抗器１４により高域ろ波回路を構成すると共に、二個のダイオード１２，１３とろ波コンデンサー１５により整流ろ波を構成するため、受け取った方形波の信号を直流電圧の信号に転換することができ、さらに、高域ろ波回路の加入により出力電圧を周波数に従って正比例の関係で変化させることができる。このように、整流回路１０の出力電圧により放熱ファン５０の回転速度を量り出すことができ、しかも、電圧コンパレータ２０に供給する参考電圧はマイナスの温度係数の熱抵抗器４０と分圧抵抗器を直列してなるもので、その分圧端から参考電圧を取得することができ、しかも、この熱抵抗器４０の設計は温度の補償効果を兼ねることができ、即ち環境温度が上昇した時、熱抵抗器４０の抵抗は相対的に降下するため、電圧コンパレータ２０まで入力した参考電圧は上昇され（回転速度の参考値を高くする）、このように、放熱ファン５０を比較的高い回転速度の状態に維持させることができる。それに反して、もし環境温度が標準値以下に降下した時、回転速度の参考値も相対的に降下し、即ち放熱ファン５０を比較的低い回転速度の状態に維持させる。図２は、制御スイッチ３０の出力波形図である。
【０００４】
【発明が解決しようとする課題】
前述したアメリカの公告番号第５，９４２，８６６号「直流ブラシレス放熱ファンの波幅調整可能な制御回路」において、その出力した波形は間歇的に開閉する方形波であり、そして、放熱ファン５０の回転は方形波または制御スイッチ３０の開閉に従って急加速または急減速が発生し、この時、放熱ファンの回転速度は急速の変化によってがたつきが生じるため、放熱ファンの使用寿命が短くなるという問題点があった。
【０００５】
このような問題点に鑑み、本発明は調整可能な参考電圧を利用して放熱ファンの回転速度を制御することにより、放熱ファンの回転速度を緩やかに加速させたり減速させたりすることができ、放熱ファンの急加速または急減速の発生を避けることができることにより、放熱ファンの使用寿命を伸ばすことができる。
【０００６】
本発明は、このような問題点に鑑みて発明したものであって、その目的とするところは、差動増幅器を利用して参考電圧回路から出力した参考電圧を電源電圧Ｖｃｃと加減して合わせることにより、放熱ファンの駆動電圧を出力させ、駆動電圧は線性で緩やかな波形を有するように形成されるため、放熱ファンの回転速度を緩やかに加速させたり減速させたりすることができ、放熱ファンの急加速または急減速の発生を避けることができることにより、放熱ファンの使用寿命を伸ばすことができる参考電圧制御回転速度の放熱ファンのモーターを提供しようとするものである。
【０００７】
【課題を解決するための手段】
上記目的を達成するために、本発明による参考電圧制御回転速度の放熱ファンのモーターは、下記のようになるものである。
すなわち、本発明の参考電圧制御回転速度の放熱ファンのモーターは、放熱ファン、参考電圧回路および差動増幅器により構成される。参考電圧回路は参考電圧を出力し、差動増幅器は放熱ファンおよび参考電圧回路の間に配設され、差動増幅器のマイナス端は参考電圧と連接すると共に、プラス端は電源電圧の分圧と連接し、マイナス端およびプラス端の電圧差の変化により駆動電圧を放熱ファンに出力させるように形成される。参考電圧回路から出力された参考電圧が上昇した時、差動増幅器から放熱ファンに出力する駆動電圧は緩やかに降下することにより、放熱ファンの回転速度も緩やかに降下するように形成される。参考電圧回路から出力された参考電圧が降下した時、差動増幅器から放熱ファンに出力する駆動電圧は緩やかに上昇することにより、放熱ファンの回転速度も緩やかに上昇するように形成される。
【０００８】
また、本発明の参考電圧制御回転速度の放熱ファンのモーターは、下記のように構成することもできる。
１．参考電圧回路は熱抵抗器により構成される回路である。
２．参考電圧回路は圧電回路である。
３．参考電圧回路はマイクロプロセッサーのシステムである。
４．参考電圧は放熱ファンの回転速度信号ＦＧの実際回転速度信号を利用して参考電圧を微調整することができる。
【０００９】
【発明の実施の形態】
本発明の実施の形態について、以下、図面を参照して説明する。
【００１０】
図３は本発明の実施例による参考電圧制御の回路図で、本発明は主に放熱ファン８０、参考電圧回路６０および差動増幅器７０により構成される。参考電圧回路６０は負性温度係数回路（negative temperature coefficient circuit）または圧電回路（piezo-electric circuit）またはマイクロプロセッサーのシステム（microprocessor system）であり、その主な特性は環境温度またはシステムの需要に従って参考電圧を微調整する出力電圧値の大きさを決定するものである。その他に、前記参考電圧Ｖｒｅｆは放熱ファン８０の回転速度信号ＦＧの実際回転速度を利用して参考電圧Ｖｒｅｆを調整するか否かを決定することもできる。参考電圧Ｖｒｅｆから差動増幅器７０のマイナス端に入力する電圧が降下すると、差動増幅器７０から出力する駆動電圧Ｖｆも高くなるため、放熱ファンの回転速度も上昇する。参考電圧Ｖｒｅｆから差動増幅器７０のマイナス端に入力する電圧が上昇すると、差動増幅器７０から出力する駆動電圧Ｖｆも低くなるため、放熱ファンの回転速度も降下する。
【００１１】
図３を参考し、本発明の参考電圧制御回転速度の放熱ファンのモーターは、主に放熱ファン８０、参考電圧回路６０および差動増幅器７０により構成される。差動増幅器７０は放熱ファン８０および参考電圧回路６０の間に配設され、差動増幅器７０のマイナス端は熱抵抗器または圧電素子またはマイクロプロセッサーのシステムにより構成される参考電圧６０と連接すると共に、プラス端は電源電圧Ｖｃｃと連接する。差動増幅器７０はマイナス端およびプラス端に入力された電圧を加減し合わせてから、駆動電圧Ｖｆを放熱ファン８０に出力させるように形成される。その他に、参考電圧回路６０は放熱ファン８０から検出した実際の回転速度の信号ＦＧを接収するのを利用し、微調整で参考電圧Ｖｒｅｆを出力することができる。参考電圧ＶｒｅｆはＣ１とＲ１のろ波整流を経て差動増幅器７０のマイナス端に入力され、参考電圧Ｖｒｅｆを差動増幅器７０のプラス端の電源電圧Ｖｃｃの分圧と加減して合わせてから、放熱ファン８０を駆動するための駆動電圧Ｖｆが出力され、しかも差動増幅器７０は参考電圧Ｖｒｅｆの微調整に従って出力する駆動電圧Ｖｆを変えるように形成される。差動増幅器７０のマイナス端に入力された参考電圧Ｖｒｅｆが降下した時、差動増幅器７０から放熱ファン８０に出力する駆動電圧Ｖｆは増加することにより、放熱ファン８０の回転速度も上昇するように形成され、差動増幅器７０のマイナス端に入力された参考電圧Ｖｒｅｆが上昇した時、差動増幅器７０から放熱ファン８０に出力する駆動電圧Ｖｆは減少することにより、放熱ファン８０の回転速度も降下するように形成される。
【００１２】
図４を参考し、図４には参考電圧Ｖｒｅｆの微調整を利用した場合、出力するための駆動電圧Ｖｆと放熱ファン８０の回転速度の信号ＦＧを相対的に変えさせた波形図が掲示される。参考電圧Ｖｒｅｆ＝Ｖ１（二番目に高い電圧）の場合、差動増幅器７０は比較的低い駆動電圧Ｖｆを出力するため、放熱ファンの回転速度の信号ｆ１は二番目に高い状態に形成される。参考電圧Ｖｒｅｆ＝Ｖ１からＶｒｅｆ＝Ｖ２に増加した場合、差動増幅器７０は緩やかに降下する駆動電圧Ｖｆを出力するため、放熱ファンの回転速度の信号の周波数は相対的にｆ１からｆ２まで徐々に減少される。参考電圧Ｖｒｅｆ＝Ｖ２からＶｒｅｆ＝Ｖ３に減少した場合、差動増幅器７０は緩やかに上昇する駆動電圧Ｖｆを出力するため、放熱ファンの回転速度の信号の周波数は相対的にｆ２からｆ３まで徐々に増加される。このように、参考電圧回路６０から微調整の参考電圧Ｖｒｅｆが出力された場合、差動増幅器７０から出力された駆動電圧Ｖｆを変化させることができると共に、駆動電圧Ｖｆは線性で平らな波形に形成されるため、放熱ファン８０は緩やかに加速したり減速したりすることができる。
【００１３】
図２，４を参照し、上記アメリカの特許番号第５，９４２，８６６号において、その駆動電圧は方形波に形成されることにより、放熱ファンの回転速度は急加速したり急減速したりするため、この時に放熱ファンの回転速度は急速の変化によってがたつきが生じる。それに反して、本発明は差動増幅器を利用して参考電圧回路から出力した参考電圧Ｖｒｅｆを電源電圧Ｖｃｃと加減して合わせることにより、放熱ファンの駆動電圧Ｖｆを出力させ、駆動電圧Ｖｆは線性で緩やかな波形を有するように形成されるため、放熱ファンの回転速度を緩やかに加速させたり減速させたりすることができ、放熱ファンの急加速または急減速の発生を避けることができることにより、放熱ファンの使用寿命を伸ばすことができる。
【００１４】
【発明の効果】
本発明の参考電圧制御回転速度の放熱ファンのモーターによれば、差動増幅器を利用して参考電圧回路から出力した参考電圧を電源電圧Ｖｃｃと加減し合わせることにより、放熱ファンの駆動電圧を出力させ、駆動電圧は線性で緩やかな波形を有するように形成されるため、放熱ファンの回転速度を緩やかに加速させたり減速させたりすることができ、放熱ファンの急加速または急減速の発生を避けることができることにより、放熱ファンの使用寿命を伸ばすことができるという利点がある。
【００１５】
本発明は、その精神及び必須の特徴事項から逸脱することなく他のやり方で実施することができる。従って、本明細書に記載した好ましい実施例は例示的なものであり、限定的なものではない。
【図面の簡単な説明】
【図１】  従来のアメリカ特許番号第５，１９７，８５８号の放熱ファンによる速度制御の回路図である。
【図２】  従来のアメリカ特許番号第５，１９７，８５８号の放熱ファンによる出力波形図である。
【図３】  本発明の実施例による参考電圧制御の回路図である。
【図４】  本発明の実施例による参考電圧Ｖｒｅｆ、放熱ファンの検出信号ＦＧおよび駆動電圧Ｖｆの波形図である。
【符号の説明】
１０    整流回路                  １１    コンデンサー
１２    ダイオード                １３    ダイオード
１４    抵抗器                    １５    ろ波コンデンサー
２０    電圧コンパレータ          ３０    制御スイッチ
４０    熱抵抗器                  ５０    放熱ファン
６０    参考電圧回路              ７０    差動増幅器
８０    放熱ファン
【図１】
0003679706.tif 000002
【図２】
0003679706.tif 000003
【図３】
0003679706.tif 000004
【図４】
0003679706.tif 000005